(57)【要約】【課題】外観が美しく、施工が簡単かつ短時間ででき、しかもメンテナンス作業も容易である簡易構築物の排水構造を提供する。【解決手段】屋根２と、屋根２を支持する支持柱１０を備えた簡易構築物に設けられた、屋根２が受け止めた雨水を排水するための排水構造２０であって、支持柱１０が、中空な部材によって形成されており、排水構造２０が、屋根２が受け止めた雨水が集められる桁２２と、桁２２に集められた雨水を地面に排水する縦樋２１とからなり、縦樋２１が、支持柱１０内に配設されている。外観を美しくすることができ、簡易構築物の施工工数を少なくすることができ、施工コストも安くすることができ、簡易構築物を設置した場所を有効活用することができる。【選択図】　　　　図１
2004027646.tif 000002
【特許請求の範囲】
【請求項１】
屋根と、該屋根を支持する支持柱を備えた簡易構築物に設けられた、前記屋根が受け止めた雨水を排水するための排水構造であって、
前記支持柱が、中空な部材によって形成されており、
該排水構造が、
前記屋根が受け止めた雨水が集められる桁と、
該桁に集められた雨水を地面に排水する縦樋とからなり、
該縦樋が、前記支持柱内に配設されている
ことを特徴とする簡易構築物の排水構造。
【請求項２】
前記支持柱の柱本体の一側面に、該支持柱の柱本体の内部と外部とを連通させる開口部が形成されており、
該柱本体の開口部に、蓋部が着脱可能に取り付けられており、
前記柱本体の開口部が、前記縦樋を前記支持柱内に挿入しうる大きさに形成されている
ことを特徴とする請求項１記載の簡易構築物の排水構造。
【請求項３】
前記蓋部の内面に、前記縦樋が取り付けられている
ことを特徴とする請求項２記載の簡易構築物の排水構造。
【請求項４】
前記支持柱の内部に、前記縦樋を収容するための収容空間と、他の部分を分離する隔壁が設けられている
ことを特徴とする請求項２または３記載の簡易構築物の排水構造。
【発明の詳細な説明】
【０００１】
【発明の属する技術分野】
本発明は、簡易構築物の排水構造に関する。さらに詳しくは、駅の待合室やカーポート、家庭用テラス等のように、柱によって支持された屋根を有する簡易構築物の排水構造に関する。
【０００２】
【従来の技術】
従来、駅の待合室やカーポート、家庭用テラス等の簡易構築物は、屋根に降った雨水を地面等に設けられた排水溝等に流すために、この排水溝と屋根の桁との間に縦樋が設けられている。この縦樋は、通常、屋根を支持する柱の側面に固定されている。ところが、縦樋を柱の側面に取り付けた場合、縦樋が人目につくため外観が悪いという問題があった。
【０００３】
この問題を解決する手段として、特開平５−１４８９６５号（従来例１）の技術がある。図６に示すように、従来例１には、簡易構築物である玄関ポーチが示されており、この玄関ポーチは、玄関ポーチ屋根１２０　と、竪樋内蔵柱１０１　とを備えている。この竪樋内蔵柱１０１　は、玄関ポーチ屋根１２０　を支持する玄関ポーチ柱１０２　と、この玄関ポーチ柱１０２　の側面に取り付けられた竪樋１０８　と、両者の周囲を囲って覆い隠すための４枚の合板１０９　〜１１２　とを有している。このため、玄関ポーチ屋根１２０　の荷重は玄関ポーチ柱１０２　によって支持することができ、玄関ポーチ屋根１２０　に降った雨水は竪樋１０８　によって排水することができる。そして、４枚の合板１０９　〜１１２　等によって玄関ポーチ柱１０２　と竪樋１０８　を覆い隠しているので、竪樋１０８　が人目につかず、玄関ポーチ１２０　の外観を美しくすることができる。
【０００４】
【発明が解決しようとする課題】
しかるに、従来例１の技術では、竪樋内蔵柱１０１　を施工する場合、玄関ポーチ柱１０２　と竪樋１０８　の施工に加えて、両者の周囲に合板１０９　〜１１２　を取り付ける作業が必要となるため、施工工数が多くなり、施工期間が長くなる。そして、合板１０９　〜１１２　やその取り付けに使用する部材の分だけ余分な材料が必要となるため、施工コストが高くなるという問題がある。
また、従来例１の竪樋内蔵柱１０１　は、外観を良くするためには確かに有効であるが、玄関ポーチ柱１０２　と竪樋１０８　を合板１０９　〜１１２　で囲む構造上、必然的に竪樋内蔵柱１０１　自体の断面積が大きくなってしまう。竪樋内蔵柱１０１　を設けた部分は、他の用途に使用することができないデッドスペースとなってしまうため、玄関ポーチスペースの有効活用ができなくなるという問題がある。
さらに、長期間使用する間に竪樋１０８　がゴミ等によって詰まった場合、合板１０９　〜１１２　を取外さなければ、竪樋１０８　を取り外すことができないので、メンテナンス作業が面倒である。
【０００５】
本発明はかかる事情に鑑み、外観が美しく、施工が簡単かつ短時間ででき、場所を取らずコンパクトに設置することができ、しかもメンテナンス作業が容易である簡易構築物の排水構造を提供することを目的とする。
【０００６】
【課題を解決するための手段】
請求項１の簡易構築物の排水構造は、屋根と、該屋根を支持する支持柱を備えた簡易構築物に設けられた、前記屋根が受け止めた雨水を排水するための排水構造であって、前記支持柱が、中空な部材によって形成されており、該排水構造が、前記屋根が受け止めた雨水が集められる桁と、該桁に集められた雨水を、地面に排水する縦樋とからなり、該縦樋が、前記支持柱内に配設されている。
請求項２の簡易構築物の排水構造は、請求項１記載の発明において、前記支持柱の柱本体の一側面に、該支持柱の柱本体の内部と外部とを連通させる開口部が形成されており、該柱本体の開口部に、蓋部が着脱可能に取り付けられており、前記柱本体の開口部が、前記縦樋を前記支持柱内に挿入しうる大きさに形成されていることを特徴とする。
請求項３の簡易構築物の排水構造は、請求項２記載の発明において、前記蓋部の内面に、前記縦樋が取り付けられていることを特徴とする。
請求項４の簡易構築物の排水構造は、請求項２または３記載の発明において、前記支持柱の内部に、前記縦樋を収容するための収容空間と、他の部分を分離する隔壁が設けられていることを特徴とする。
【０００７】
請求項１の発明によれば、縦樋が支持柱内に配設されており、縦樋が人目に触れることがないので、外観を美しくすることができる。また、屋根を支持する支持柱自体の内部に縦樋を内蔵しているので、縦樋を隠すための部材が不要である。よって、簡易構築物の施工工数を少なくすることができ、施工コストも安くすることができる。さらに、従来使用することができなかった支持柱内部の空間に縦樋を配置するので、デッドスペースが小さくなり、簡易構築物を設置した場所を有効活用することができる。
請求項２の発明によれば、柱本体の側面に、縦樋を支持柱内に入れるための開口部を設けているから、縦樋を支持柱内に簡単に設置することができるし、逆に縦樋を支持柱内から簡単に取り出すことができる。よって、縦樋の取付、取外しが容易になり、縦樋のメンテナンスも容易になる。また、柱本体に蓋部を取り付ければ、縦樋を覆い隠すことができるから、外観も美しく保つことができる
請求項３の発明によれば、蓋部を柱本体から取り外せば、蓋部とともに縦樋を柱本体の内部から取り出すことができるし、蓋部を柱本体に取り付ければ、縦樋を柱本体の内部に取り付けることができる。したがって、縦樋の取り付け取り外しが簡単かつ短時間で行うことができ、柱本体内の狭い空間で樋の取付、取外し作業を行う必要が無いので、縦樋の施工が容易になり、しかも縦樋のメンテナンスも容易になる。
請求項４の発明によれば、隔壁によって支持柱の側方から荷重に対する強度を高くすることができるので、支持柱の板厚を低減することができ、軽量かつ強度の高い支持柱を形成することができる。よって、支持柱の製造コストを低減することができるし、施工も容易にすることができる。
【０００８】
【発明の実施の形態】
つぎに、本発明の実施形態を図面に基づき説明する。
本発明の排水構造は、例えば駅のホームに設置される待合室やカーポート、家庭用テラス、遊歩道の雨除け構築物等のように、柱によって支持された屋根を有する簡易構築物に適用されるものであり、縦樋を柱内に配置したことが特徴である。
以下には、代表として本発明の排水構造を駅ホームの待合室に採用した場合を説明する。
【０００９】
図１は本発明の排水構造を採用した待合室１の概略正面図である。同図において符号１は、駅ホームの待合室を示している。この待合室１は、ホームに立設された複数本の支持柱１０と、この支持柱１０によって支持された屋根２と、隣接する支持柱１０間に設けられた壁部３とから構成されている。
また、前記待合室１には、屋根２が受け止めた雨水をホームに設けられた排水溝等の排水施設に排水するための排水構造２０を有している。この排水構造２０は、屋根２の軒先に設けられ、屋根２が受け止めた雨水等が流し込まれる桁２２と、桁２２内の雨水を前述した排水施設まで流すための縦樋２１とから構成されている。この縦樋２１は、前記支持柱１０内に配置されている。
【００１０】
このため、本実施形態の排水構造２０を待合室１に採用すれば、縦樋２１が人目に触れることはないので、待合室１自体の外観を美しくすることができる。
また、屋根２を支持する支持柱１０に縦樋２１を内蔵している。つまり、支持柱１０自体を縦樋２１を隠すための目隠し部材として利用しているから、縦樋２１を隠すために、支持柱１０や縦樋２１の周囲を覆う化粧板などの部材を設置する必要がない。よって、待合室１を設置するための施工工数を少なくすることができるし、待合室１の施工に必要な材料も少なくできるので、施工コストを安くすることができる。
さらに、支持柱１０内部の空間に縦樋２１を配置することによって、従来利用することができなかった支持柱１０が設置されている空間を有効利用することができるし、従来縦樋２１が配置されていた空間を、他の用途に利用することができる。よって、待合室１を設置した場所を、より一層有効活用することができる。
【００１１】
さて、本実施形態の排水構造２０を詳細に説明する。
図２は図１のＩＩ−ＩＩ線断面図である。図３は支持柱１０の柱本体１１から蓋部１２を取り外した状態の概略断面図である。図４は縦樋２１を取り付けた状態における蓋部１２の概略説明図である。図２〜図４に示すように、前記支持柱１０は、柱本体１１と蓋部１２とから構成されている。
【００１２】
前記柱本体１１は、アルミニウム製押出形材により形成された中空な柱状の部材であり、一側面に、内部と外部とを連通させる開口部１１ｈ　が形成されている。この開口部１１ｈ　は、柱本体１１の軸方向に沿って切り欠き状に形成されており、その幅は前記縦樋２１の外径よりも広くなるように形成されたものである。
なお、開口部１１ｈ　の形状は上記の形状に限られず、縦樋２１が柱本体１１内に挿入できる大きさに形成されていればよい。
【００１３】
また、前記蓋部１２は、縦長な板状の部材であり、前記柱本体１１の開口部１１ｈ　に取り付けると、開口部１１ｈ　全体を覆い隠すことができるような大きさに形成されている。つまり、蓋部１２は、柱本体１１の開口部１１ｈ　に取り付けたときに、開口部１１ｈ　を通して柱本体１１の内部が見えないように形成されているのである。
【００１４】
この蓋部１２の内面には、前記縦樋２１が、その軸方向と蓋部１２の長手方向が平行となるように、かつ着脱可能に取り付けられている。具体的には、図２および図３に示すように、縦樋２１に形成された係合部２１ａ　と、蓋部１２の内面に形成された係合部１２ａ　とを係合させて、係合部２１ａ，１２ａ　をビス等によって固定している。
なお、蓋部１２に対する縦樋２１の取り付け方法は上記の方法に限られず、縦樋２１を蓋部１２に着脱可能に取り付けることができるのであれば、どのような方法を用いてもよい。
【００１５】
図４に示すように、縦樋２１の下端は、蓋部１２の下端部に設けられた貫通孔１２ｈ　から蓋部１２の表面、つまり支持柱１０の外部に突出しており、縦樋２１の下端から排出された水がホームに設けられた排水施設に排水されるように配置されている。
なお、支持柱１０の下端部内に排水施設を設けた場合には、縦樋２１の下端は支持柱１０の外部に突出させず、その内部に収容させた状態でもよい。
【００１６】
また、図５に示すように、桁２２と縦樋２１は、連結部材２３によって連結されている。この連結部材２３は、上端が桁２２の樋部２２ｈ　に連通された円管部２３ａ　と、円管部２３ａ　の下端に接続された蛇腹部２３ｂ　とから構成されており、この蛇腹部２３ｂ　の下端部は、縦樋２１に挿入されている。このため、桁２２内の雨水は、連結部材２３内を通って縦樋２１内に排水されるのである。
【００１７】
上記のごとき構成であるから、待合室１等に本実施形態の排水構造２０を採用すれば、縦樋２１を取り付けるときには、まず、連結部材２３の蛇腹部２３ｂ　の下端部を、縦樋２１の上端からその内部に入れ、その後、蓋部１２を柱本体１１に取り付けるだけで、縦樋２１を、柱本体１１の内部に収容させた状態で、柱本体１１に取り付けることができる。よって、柱の側面に縦樋を取り付ける一般的な排水構造を採用した場合に比べても、縦樋２１の施工が容易になり、縦樋２１の取り付けを短時間で行うことができる。
そして、蓋部１２を柱本体１１から取り外せば、蓋部１２とともに縦樋２１を柱本体１１の内部から取り出すことができるから、柱本体１１内の狭い空間で縦樋２１の取外しを行う必要が無く、長期間使用するうちに縦樋２１の内部が詰まったとしても、縦樋２１を簡単かつ容易にメンテナンスすることができる。
【００１８】
また、支持柱１０の柱本体１１を、その内部に隔壁１１ａ　を設け、柱本体１１の内部が縦樋２１を収容するための収容空間１０ａ　と他の部分に分離された構造としているので、隔壁１１ａ　によって柱本体１１に側方から加わる荷重を支持することができ、柱本体１１の強度を高くすることができる。このため、支持柱１０の柱本体１１の板厚を低減することができ、軽量かつ強度の高い支持柱１０を形成することができる。しかも、支持柱１０の製造コストを低減することができるし、施工も容易にすることができる。
【００１９】
【発明の効果】
請求項１の発明によれば、外観を美しくすることができ、簡易構築物の施工工数を少なくすることができ、施工コストも安くすることができ、簡易構築物を設置した場所を有効活用することができる。
請求項２の発明によれば、縦樋の施工が容易になり、しかも縦樋のメンテナンスも容易になり、外観も美しく保つことができる
請求項３の発明によれば、縦樋の取り付け取り外しが簡単かつ短時間で行うことができるので、縦樋の施工が容易になり、しかも縦樋のメンテナンスも容易になる。
請求項４の発明によれば、支持柱の製造コストを低減することができるし、施工も容易にすることができる。
【図面の簡単な説明】
【図１】本発明の排水構造を採用した待合室１の概略正面図である。
【図２】図１のＩＩ−ＩＩ線断面図である。
【図３】支持柱１０の柱本体１１から蓋部１２を取り外した状態の概略断面図である。
【図４】縦樋２１を取り付けた状態における蓋部１２の概略説明図である。
【図５】縦樋２１と桁２２の連結部分の概略説明図である。
【図６】従来例１の堅樋内蔵柱１の概略説明図である。
【符号の説明】
２　　　　屋根
１０　　　支持柱
１０ａ　　収容空間
１１　　　柱本体
１１ａ　　隔壁
１１ｈ　　開口部
１２　　　蓋部
２０　　　排水構造
２１　　　縦樋
２２　　　桁
【図１】
2004027646.tif 000003
【図２】
2004027646.tif 000004
【図３】
2004027646.tif 000005
【図４】
2004027646.tif 000006
【図５】
2004027646.tif 000007
【図６】
2004027646.tif 000008